(57)【要約】【課題】  フレームを構成するタイムスロットのなかに１シンボルあたりの情報量が少ない変調方式を選択せざる得ないタイムスロットが含まれている場合であっても、効率的なスロット連結を行うこと。【解決手段】  通信品質測定部９は複数のタイムスロットごとに端末装置２との間の通信品質を測定する。変調方式判定部１０ｂはこの通信品質にもとづき、タイムスロットごとに適用できる変調方式を判定する。スロット割当部１０ｃは、適用できると判定された変調方式のうちで、多値数が最も少ない変調方式を除く変調方式を用いたタイムスロットの連結割当を実施しながら、複数のタイムスロットを端末装置に割り当てる。【選択図】図４
2008219401.tif 000002
【特許請求の範囲】
【請求項１】
複数のタイムスロットごとに通信品質の測定を行い、
測定した通信品質にもとづき、タイムスロットごとに適用可能な変調方式を判定し、
適用可能と判定した変調方式のうちで、多値数が最も少ない変調方式を除く変調方式が適用可能で、かつ連続しているタイムスロットの連結を行って端末装置に割り当てることを特徴とする割当方法。
【請求項２】
複数のタイムスロットを端末装置に割り当てる割当部と、
前記複数のタイムスロットごとに端末装置との間の通信品質を測定する測定部と、
前記測定された通信品質にもとづき、タイムスロットごとに適用可能な変調方式を判定する判定部と、
前記割当部にて割り当てた端末装置と通信する通信部とを備え、
前記割当部は、前記判定した変調方式のうちで、多値数が最も少ない変調方式を除く変調方式が適用可能で、かつ連続しているタイムスロットの連結を行って端末装置に割り当てることを特徴とする基地局装置。
【請求項３】
前記割当部は、多値数が最も多い変調方式から降順に前記タイムスロットの連結を行って、割り当てを実行した後、連結の対象とならなかったタイムスロットは、前記判定された変調方式を用いて、割り当てを実行することを特徴とする請求項２に記載の基地局装置。
【請求項４】
前記割当部は、多値数が所定のしきい値より小さい変調方式から降順に前記タイムスロットの連結を行って、割り当てを実行した後、連結割当の対象とならなかったタイムスロットは、前記判定された変調方式を用いて、割り当てを実行することを特徴とする請求項２に記載の基地局装置。
【請求項５】
前記割当部は、多値数が２番目に少ない変調方式から昇順に前記タイムスロットの連結を行って、割り当てを実行した後、連結割当の対象とならなかったタイムスロットは、前記判定された変調方式を用いて、割り当てを実行することを特徴とする請求項２に記載の基地局装置。
【発明の詳細な説明】
【技術分野】
【０００１】
本発明は、端末装置にスロットを割り当てる技術に関し、特にスロット連結時のスロット割当方法およびそれを利用した基地局装置に関する。
【背景技術】
【０００２】
PHS（Personal Handyphone System）のような移動体通信システムにおいては、図１に示すような4スロット多重のTDMA-TDD（Time Division Multiple Access-Time Division Duplex）方式を使用して、端末装置（PS：Personal Station）と基地局装置（CS：Cell Station）との間で通信が行われる。
【０００３】
ところで、最近の移動体通信システムでは、データ通信のように、従来の音声通信に比べて高速、大容量のデータ伝送が要求されるようになっており、PHSにおいても伝播環境に応じて信号の変調方式を適応的に変化させる適応変調技術や、複数のタイムスロットを連結して同一の端末装置に割り当てるスロットバンドル技術が採用されている。（例えば、非特許文献１）
【非特許文献１】ARIB STANDARD RCR STD-28-1「第二世代コードレス電話システム標準規格」,4.1版,（1/2分冊）
【発明の開示】
【発明が解決しようとする課題】
【０００４】
しかしながら、従来のスロットバンドル技術では、例えば図１におけるTDMAフレームの第１タイムスロットから第４タイムスロットを連結して同一の端末装置に割り当てようとする場合、全てのタイムスロットで同一の変調方式を選択する必要があり、伝播環境の影響で１シンボルあたりの情報量が少ない変調方式を選択せざる得ないタイムスロットが含まれると、他のタイムスロットもこのタイムスロットにあわせた変調方式を選択することになり、スロットバンドルを行っても伝送効率を向上させることが困難であった。
【０００５】
本発明はこのような状況に鑑みてなされたものであり、効率的なスロット連結を行うことで伝送効率を向上させることが可能なスロット割当方法およびそれを利用した基地局装置を提供することを目的とする。
【課題を解決するための手段】
【０００６】
本発明のある態様は、割当方法である。この方法は、複数のタイムスロットごとに通信品質の測定を行い、測定した通信品質にもとづき、タイムスロットごとに適用可能な変調方式を判定し、適用可能と判定した変調方式のうちで、多値数が最も少ない変調方式を除く変調方式が適用可能で、かつ連続しているタイムスロットの連結を行って端末装置に割り当てることをその要旨とする。
【０００７】
ここで、「多値数が最も少ない変調方式」は、１シンボルあたりの情報量が最も少ない変調方式または伝送レートが最も低い変調方式であることを含む。
【０００８】
また、「タイムスロットの連結」は、タイムスロット毎に配置されるプリアンブルなどの通信制御シンボルを、連結の対象となる複数の連続するタイムスロットの先頭タイムスロットのみに配置することを含む。
【０００９】
本発明の別の態様は、基地局装置である。この基地局装置は、複数のタイムスロットを端末装置に割り当てる割当部と、前記複数のタイムスロットごとに端末装置との間の通信品質を測定する測定部と、前記測定された通信品質にもとづき、タイムスロットごとに適用可能な変調方式を判定する判定部と、前記割当部にて割り当てた端末装置と通信する通信部とを備え、前記割当部は、前記判定した変調方式のうちで、多値数が最も少ない変調方式を除く変調方式が適用可能で、かつ連続しているタイムスロットの連結を行って端末装置に割り当てることをその要旨とする。
【００１０】
また、前記割当部は、多値数が最も多い変調方式から降順に前記タイムスロットの連結を行って、割り当てを実行した後、連結の対象とならなかったタイムスロットは、前記判定された変調方式を用いて、割り当てを実行することが望ましい。
【００１１】
また、前記割当部は、多値数が所定のしきい値より小さい変調方式から降順に前記タイムスロットの連結を行って、割り当てを実行した後、連結割当の対象とならなかったタイムスロットは、前記判定された変調方式を用いて、割り当てを実行することが望ましい。
【００１２】
また、多値数が２番目に少ない変調方式から昇順に前記タイムスロットの連結を行って、割り当てを実行した後、連結割当の対象とならなかったタイムスロットは、前記判定された変調方式を用いて、割り当てを実行することが望ましい
【発明の効果】
【００１３】
本発明によれば、フレームを構成するタイムスロットのなかに多値数が少ない変調方式を選択せざる得ないタイムスロットが含まれている場合であっても、全てのタイムスロットでその変調方式を選択する必要がないように効率的なスロット連結を行うため、伝送効率を向上させることが可能となる。
【発明を実施するための最良の形態】
【００１４】
本発明を具体的に説明する前に概要について述べる。本発明の実施の形態は、第二世代コードレス電話システムのように、TDMA−TDD方式により複数の端末装置を接続する基地局装置である。第二世代コードレス電話システムでは図１に示すように、上り通信（端末装置から基地局装置）について４つのタイムスロット、下り通信（基地局装置から端末装置）について４つのタイムスロットによってTDMAフレーム（以下、フレーム）が構成され、さらにフレームが連続して配置されている。本実施の形態においては上り通信と下り通信は対称であるため、以下においては、説明の便宜上、上り通信のみ説明を行う。
【００１５】
本発明の実施の形態係る基地局装置は、さらにSDMA（Space Division Multiple Access）も適用し、一つのタイムスロットに複数の端末装置を割り当てる。なお、以下においては、説明の便宜上、一つのタイムスロットに一つの端末装置を割り当てる例にもとづき説明を行う。
【００１６】
図２は、タイムスロットの構成を示す概念図である。タイムスロットは、過渡法応答用ランプタイムR、スタートシンボルSS、プリアンブルPR、同期ワードUW、変調パラメータMI、チャンネル種別CIからなる通信制御シンボルが配置されるヘッダー、データシンボルが配置されるペイロードおよび隣接するタイムスロット間での干渉を防止するガードシンボルGから構成される。
【００１７】
音声通信のように必要となる通信容量が小さい場合、１つの端末装置にはフレーム単位に１つのタイムスロットが割り当てられる。一方、データ通信のように必要となる通信容量が大きい場合、フレームごとに４つのタイムスロットが連結されて一つの端末装置に割り当てられることもある。
【００１８】
フレームごとに４つのタイムスロットを連結する場合、先頭のタイムスロットのみ通信制御シンボルが配置してフレームを構成し、端末装置に割り当てる。これにより、ペイロードを拡張することが可能となるため、１フレーム当たりの伝送容量を増加させることができる。
【００１９】
このとき、第１〜４タイムスロットの４つのタイムスロットは同一の変調方式を選択する。このため、４つのタイムスロットのなかに１シンボルあたりの情報量が少ない変調方式を選択せざる得ないタイムスロットが含まれていた場合、他のタイムスロットでもこのタイムスロットにあわせた変調方式を選択ことになり、４つのタイムスロットを連結して割り当てを行うとかえって伝送効率が低減することがある
したがって、本発明の実施の形態における基地局装置においては、複数のタイムスロットごとに端末装置との間の通信品質を測定し、この測定された通信品質に基づき、タイムスロットごとに適用できる変調方式を判定し、適用できると判定した変調方式のうちで、多値数が最も少ない変調方式を除く変調方式を用いたタイムスロットの連結割当とタイムスロットの単一割当とを組み合わせて、複数のタイムスロットを端末装置に割り当てることとした。これにより、効率的なスロット連結を行うことが可能となるため、伝送効率を向上させることができる。
【００２０】
図３は、本発明の実施の形態における移動体通信システム１００の構成を示す概念図である。移動体通信システムは基地局装置１と端末装置２を含む。図３では端末装置２で総称される第１端末装置２ａ、第２端末装置２ｂおよび第３端末装置２ｃの３台を図示しているが、２台以下、もしくは４台以上の端末装置が存在してもよい。
【００２１】
図４は、図３の基地局装置１の構成を示す概念図である。図４において、アンテナ３で総称されるアンテナ３ａ、アンテナ３ｂ、アンテナ３ｃおよびアンテナ３ｄは無線周波数に応じた設定された間隔で配置され、無線周波数の信号を送受信する。アンテナ３はアダプティブアレイアンテナ技術に対応しており、アンテナの指向性は、後述の送受信部５により制御される。図４ではアンテナ３の数を「４」としているが、これ以外の数であってもよい。
【００２２】
無線部４は、受信時にアンテナ３で受信した無線周波数の信号を周波数変換し、ベースバンド信号を導出し、送受信部５に出力する。また、送信時に送受信部５からのベースバンド信号を周波数変換し、無線周波数の信号を導出する。
【００２３】
送受信部５は、受信時に受信信号から導出した受信ウエイトベクトルにより、無線部４から送られてきた受信信号のそれぞれを重み付けし加算する。受信ウエイトベクトルの導出方法としては、LMS（Least Mean Squeare）、RLS（Recursive Least Square）アルゴリズムなどがある。これらアルゴリズムの参照信号として図２に示すプリアンブルPRを用いる。
【００２４】
また、送受信部５は、送信時に受信ウエイトベクトルから、送信信号の重み付けに必要な送信ウエイトベクトルを推定する。送信ウエイトベクトルの推定方法としては、受信ウエイトベクトルをそのまま使用する、などがある。さらに受信時と送信時との時間差によって生じる伝播環境のドップラー周波数変動を考慮し、受信ウエイトベクトルを補正してもよい。
【００２５】
変復調部６は、受信時に送受信部５からの入力に対して復調を行い、IF部７に出力する。また変復調部６は、送信時に変調した信号を送受信部５に出力する。変調方式としては、π／４シフトQPSK（Quadrature Phase Shift Keying）、BPSK（Binary Phase Shift Keying）、QPSK、8QPSK、12QAM（Quadrature Amplitude Modulation）などを用いる。
【００２６】
IF部７は、図示していないネットワークに接続され、受信時に変復調部６において復調した信号を図示していないネットワークに出力する。また、IF部７は、送信時にネットワークからデータを入力し、これを変復調部６に出力する。
【００２７】
無線量測定部８は、送受信部から通知された情報をもとに、基地局装置１と端末装置２との間における通信量を測定する。通信量は、端末装置２が１フレームあたりに使用しているスロット数から導出してもよい。
【００２８】
通信品質測定部９は、端末装置２から送信された信号の通信品質を測定し、制御部１０に出力する。通信品質としてはD/U比およびMSE(Mean Square Error)を導出する。D/U比は、端末装置２から基地局装置１に無線リソース獲得要求があったときの端末装置２から送信された信号の受信レベルをD波レベルとし、割り当てようとするタイムスロットにおける受信レベルをU波レベルとして、D波レベルをU波レベルで除算して導出する。本発明の実施の形態のようにSDMA（Space Division Multiple Access）を使用している場合は、受信ウエイトベクトルに基づいて導出してもよく、無線周波数の信号強度から導出してもよい。MSEは、理想変調信号と受信変調信号のそれぞれのI成分信号とQ成分信号をIQ座標平面上の座標点に対応させ、理想シンボル点と受信シンボル点とし、この間の距離をEVM（Error Vector Magnitude）として求め、これをフレーム間に平均化して導出する。フレーム間の平均化は、外乱の影響を軽減するため、あらかじめ１以下の忘却係数λを定めておき、平均値に対してこの忘却係数λで重み付けをする移動平均により行う。
【００２９】
制御部１０は、IF部７から通知された通信要求と、変復調部５から送られた受信信号を入力とし、基地局装置１と通信すべき端末装置２に対して、無線チャンネルを割り当てる。また、基地局装置１全体のタイミングの制御等を行う。TDMAにおいては、端末装置２と通信するため端末装置２に対してタイムスロットを割り当てるので、無線チャンネルはタイムスロットに相当する。
【００３０】
制御部１０は、端末装置２に割り当て可能なタイムスロットを管理し、後述するタイムスロット連結処理の対象となるタイムスロットを確保する無線リソース管理部１０ａを含む。
【００３１】
また、制御部１０は、端末装置２から送られた変調方式の変更要求と、通信品質測定部９から送られた情報およびスロット割当部１０ｃから送られた情報を入力とし、変調方式を決定し、変復調部１０を制御する変調方式判定部１０ｂを含む。変調方式判定部１０ｂは、通信品質測定部９から送られた情報と変調方式との関係を示したテーブルを記録しており、それを参照して変調方式を決定する。
【００３２】
図５は、D/U比と変調方式との関係を示したテーブルのデータ構造であり、図６は、MSEと変調方式との関係を示したテーブルのデータ構造である。図５においてＲａ〜ＲｉのそれぞれはD/U比の上限値または下限値を示すパラメータである。また、図６においてＭａ〜ＭｉのそれぞれはMSEの上限値または下限値を示すパラメータである。このようなパラメータにより、例えば、D/U比の範囲「Ｒａ≦Ｒ＜Ｒｂ」とπ／４シフトQPSKが対応づけられ、MSEの範囲「Ｍａ≦Ｍ＜Ｍｂ」とπ／４シフトQPSKが対応づけられる。
【００３３】
変調方式判定部１０ｂは、端末装置２から無線リソース獲得要求等があった場合は、D/U比と変調方式との関係を示したテーブルを参照して変調方式を推定する。端末装置２にタイムスロットを割り当てと同期確立を行った以降は、MSEと変調方式との関係を示したテーブルを参照して変調方式を推定する。そして推定された変調方式をスロット割当部１０ｃに出力する。なお、変調方式との関係を示したテーブルを、変調方式を上げる（多値数の大きい変調方式にする）場合と変調方式を下げる（多値数の少ない変調方式にする）場合とで、別々のテーブルにしてもよい。
【００３４】
また、変調方式判定部１０ｂは、端末装置２から変調方式を指定して変更要求があった場合は、選択可能であるか否か判断を行い、選択可能であればその変調方式に決定する。スロット割当部１０ｃからの情報にもとづいて決定する場合は後述する。
【００３５】
制御部１０は、さらに端末装置２にタイムスロットを割り当てるスロット割当部１０ｃを含む。図７、図８および図９は、スロット割当部１０ｃによるタイムスロットの割当例を示す概念図である。図７、図８および図９において「H」は図２に示す制御情報シンボルにより構成される「Header」が配置されていること示す。また、図中、第１〜４タイムスロット上部に表示した「16QAM」、「12QAM」、「8PSK」、「QPSK」は該当するタイムスロットの変調方式がそれぞれ16QAM、12QAM、8PSK、QPSKであることを示している。なお、１シンボルあたりの情報量は16QAM > 12QAM > 8PSK > QPSKである。
【００３６】
図７（a）、図８（a）および図９（a）はタイムスロットを単一割当した場合のフレーム構成である。
【００３７】
ここで、「タイムスロットを単一割当」は、タイムスロット毎にプルアンブルなどの通信制御シンボルを配置して端末装置に割り当てることを含む。
【００３８】
図７（b）は１シンボルあたりの情報量が多い変調方式から優先的に連結割当した場合のフレーム構成である。
【００３９】
ここで、「タイムスロットを連結割当」は、タイムスロット毎に配置されるプリアンブルなどの通信制御シンボルを、連結の対象となる複数の連続するタイムスロットの先頭タイムスロットのみに配置して端末装置に割り当てることを含む。
【００４０】
図７（b）に示す割当例では、信品質測定部９から送られた情報により、変調方式判定部１０ｂで推定されたタイムスロットごとの選択可能な変調方式を参照し、１シンボルあたりの情報量が最も多い変調方式から降順に、その変調方式を選択可能なタイムスロットが連結割当できるか否かを、スロット割当部１０ｃは判定する。
【００４１】
そして、連結割当ができると判定したタイムスロットは、その変調方式を選択するように変調方式判定部１０ｂに通知する。
【００４２】
連結割当ができると判定したタイムスロットを除外し、次に１シンボルあたりの情報量が多い変調方式で上述の判定を行う。以降、連結処理の対象となるタイムスロットがなくなるか、１シンボルあたりの情報量が最も少ない変調方式で判定するまで同様の処理を繰り返す。
【００４３】
スロット割当部１０ｃは、上述の処理で連結割当ができると判定したタイムスロットについては連結割当を行う。また連結割当の対象から外れたタイムスロットについては、そのタイムスロットに推定された変調方式を選択するよう変調方式判定部１０ｂに通知するとともに、単一割当を行う。
【００４４】
具体例として、図７（a）に示す変調方式が第１〜４タイムスロットの変調方式として用いることができると推定された場合について説明する。
【００４５】
１シンボルあたりの情報量が最も多い変調方式は16QAMであるため、16QAMから開始する。12QAMで第１タイムスロットと第２タイムスロットはこの変調方式を選択可能であり、かつ連続しているため連結割当可能と判定され、処理対象から除外される。次にQPSKで第３タイムスロットと第４タイムスロットがこの変調方式を選択可能であり、かつ連続しているため連結割当可能と判定され、全てのタイムスロットの処理が完了し、図７（b）に示すフレーム構成となる。
【００４６】
図８（b）は１シンボルあたりの情報量が所定のしいき値より小さい変調方式から優先的に連結割当した場合のフレーム構成である。
【００４７】
図８（b）に示す割当例では、信品質測定部９から送られた情報により、変調方式判定部１０ｂで推定されたタイムスロットごとの選択可能な変調方式を参照し、１シンボルあたりの情報量が所定のしきい値より小さい変調方式から降順に、その変調方式を選択可能なタイムスロットが連結割当できるか否かを、スロット割当部１０ｃは判定する。
【００４８】
そして、連結割当ができると判定したタイムスロットは、その変調方式を選択するように変調方式判定部１０ｂに通知する。
【００４９】
連結割当ができると判定したタイムスロットを除外し、次に１シンボルあたりの情報量が多い変調方式で上述の判定を行う。以降、連結処理の対象となるタイムスロットがなくなるか、１シンボルあたりの情報量が最も少ない変調方式で判定するまで同様の処理を繰り返す。
【００５０】
スロット割当部１０ｃは、上述の処理で連結割当ができると判定したタイムスロットについては連結割当を行う。また連結割当の対象から外れたタイムスロットについては、そのタイムスロットに推定された変調方式を選択するよう変調方式判定部１０ｂに通知するとともに、単一割当を行う。
【００５１】
具体例として、図８（a）に示す変調方式が第１〜４タイムスロットの変調方式として用いることができると推定された場合について説明する。
【００５２】
ここではしきい値を16QAMとしている。１シンボルあたりの情報量がしきい値より小さい変調方式は12QAMであるため、12QAMから開始する。8PSKで第２タイムスロットと第３タイムスロットはこの変調方式を選択可能であり、かつ連続しているため連結割当可能と判定され、処理対象から除外される。連結対象の対象となるタイムスロットがなくなったので処理が完了し、図８（ｂ）に示すフレーム構成となる。
【００５３】
図９（b）は１シンボルあたりの情報量が２番目に少ない変調方式から優先的に連結割当した場合のフレーム構成である。
【００５４】
図９（b）に示す割当例では、信品質測定部９から送られた情報により、変調方式判定部１０ｂで推定されたタイムスロットごとの選択可能な変調方式を参照し、１シンボルあたりの情報量が２番目に少ない変調方式から昇順に、その変調方式を選択可能なタイムスロットが連結割当できるか否かを、スロット割当部１０ｃは判定する。
【００５５】
そして、連結割当ができると判定したタイムスロットは、その変調方式を選択するように変調方式判定部１０ｂに通知する。
【００５６】
連結割当ができると判定したタイムスロットを除外し、次に１シンボルあたりの情報量が多い変調方式で上述の判定を行う。以降、連結処理の対象となるタイムスロットがなくなるか、１シンボルあたりの情報量が最も多い変調方式で判定するまで同様の処理を繰り返す。
【００５７】
スロット割当部１０ｃは、上述の処理で連結割当ができると判定したタイムスロットについては連結割当を行う。また連結割当の対象から外れたタイムスロットについては、そのタイムスロットに推定された変調方式を選択するよう変調方式判定部１０ｂに通知するとともに、単一割当を行う。
【００５８】
具体例として、図９（a）に示す変調方式が第１〜４タイムスロットの変調方式として用いることができると推定された場合について説明する。
【００５９】
１シンボルあたりの情報量が２番目に少ない変調方式は8PSKであるため、8PSKから開始する。8PSKで第２タイムスロットと第３タイムスロットはこの変調方式を選択可能であり、かつ連続しているため連結割当可能と判定され、処理対象から除外される。連結対象の対象となるタイムスロットがなくなったので処理が完了し、図９（b）に示すフレーム構成となる。
【００６０】
以上３つのスロット割当例について説明を行ったが、どのスロット割当を実行するかはあらかじめ定めておいてもよいし、３つのスロット割当例のうちで１フレームあたりの伝送容量を最大にするような変調方式とスロット連結を実現できるスロット割当を選択してもよい。
【００６１】
伝送容量を最大にするようなスロット割当を選択する場合は、変調方式を上げる／下げることによる１シンボルあたりの情報量の増減と、スロット連結を行う／行わないことによる「Header」シンボルの増減を比較考慮して、どのスロット割当を選択するかを決定する。
【００６２】
例えば、図８（ｂ）に示すように第１タイムスロットでは16QAMを、第２タイムスロットと第３タイムスロットでは8PSKを、第４タイムスロットではQPSKを変調方式と選択し、かつ第２タイムスロットと第３タイムスロットをスロット連結すると、図７（ｂ）に示すフレーム構成と比較して、「Header」シンボル分、「Pay Load」シンボルが減少し、第２タイムスロットの１シンボルあたりの情報量が減少することになるが、第１タイムスロットおよび第３タイムスロットの１シンボルあたりの情報量が増大することになる。その結果、図８（ｂ）に示すスロット割当のほうが、図７（ｂ）にスロット割当より１フレームあたりの伝送容量が大きくなると判断した場合、図８（ｂ）に示すスロット割当をスロット割当部１０ｃは行う。
【００６３】
以上の構成による基地局装置１の動作を説明する。図１０および図１１は、端末装置２から基地局装置１に無線リソース獲得要求があったときのスロット割当を示すフローチャートである。
【００６４】
無線リソース獲得要求があると、スロット割当部１０ｃは無線リソース管理部１０ａにタイムスロットの使用状態を確認する（S10）。確認したタイムスロットの使用状態を考慮し、スロット連結割当が可能であるか否かを判断する（S11）。これは未使用状態のタイムスロットが２つ以上連続しているか否かで行う。次に、通信品質測定部９は無線リソース獲得要求をした端末装置２のD/U比を導出し、制御部１０に出力する。スロット割当部１０ｃは通信品質測定部９から送られた情報をもとに、通信品質が第１しきい値を超えていると判断した場合は（S13のY）、変調方式判定部１０ｂから送られた情報をもとに変調方式ごとにタイムスロットが連結割当可能か否かを判定する（S20）。そして可能であると判定された変調方式ごとにタイムスロットのスロット連結を実施し（S21）、残りのタイムスロットは通常のスロット割当を実施する（S14）。
【００６５】
一方、スロット連結割当が不可能と判断された場合（S11のN）、もしくは通信品質が第１しきい値より小さいと判断された場合（S13のN）、無線リソース獲得要求をした端末装置２に対して、通常のスロット割当を行う。
【００６６】
次にスロット連結割当が実施されている状態で、フレーム周期のN倍のタイミングで周期的にスロット連結割当を実施する場合について説明する。図１０および図１２は端末装置２から基地局装置１に無線リソース獲得要求があったときの周期的なスロット割当を示すフローチャートである。
【００６７】
無線リソース獲得要求をした端末装置２に初回のスロット連結割当を実施するまで（S32）は既に説明したので省略する。スロット連結割当を実施してからフレーム周期のN倍を経過すると（S33のY）、スロット割当部１０ｃは無線リソース管理部１０ａにタイムスロットの使用状態を確認し（S10）、確認したタイムスロットの使用状態を考慮して、スロット連結割当が可能であるか否かを判断する（S11）。次に、通信品質測定部９はスロット連結割当を実施した端末装置２のEMSを導出し、制御部１０に出力する。スロット割当部１０ｃは通信品質測定部９から送られた情報をもとに、通信品質が第１しきい値を超えていると判断した場合は（S13のY）、変調方式判定部１０ｂから送られた情報をもとに変調方式ごとにタイムスロットが連結割当可能か否かを判定する（S30）。そして可能であると判定された変調方式ごとにタイムスロットのスロット連結を実施し（S31）、残りのタイムスロットは通常のスロット割当を実施する（S32）。
【００６８】
次にスロット連結割当が実施されている状態で、通常のスロット割当への切り替え、あるいは再度のスロット連結割当を実施する場合について説明する。図１０および図１３は端末装置２から基地局装置１に無線リソース獲得要求があったときの通常のスロット割当への切り替え、あるいは再度のスロット連結割当を示すフローチャートである。
【００６９】
無線リソース獲得要求をした端末装置２に初回のスロット連結割当を実施するまで（S42）は既に説明したので省略する。スロット連結割当を実施してから無線量測定部８の出力を監視し、通信量が第２しきい値を超えると（S43のY）、スロット割当部１０ｃは無線リソース管理部１０ａにタイムスロットの使用状態を確認し（S10）、確認したタイムスロットの使用状態を考慮して、スロット連結割当が可能であるか否かを判断する（S11）。次に、通信品質測定部９はスロット連結割当を実施した端末装置２のEMSを導出し、制御部１０に出力する。スロット割当部１０ｃは通信品質測定部９から送られた情報をもとに、通信品質が第１しきい値を超えていると判断した場合は（S13のY）、変調方式判定部１０ｂから送られた情報をもとに変調方式ごとにタイムスロットが連結割当可能か否かを判定する（S30）。そして可能であると判定された変調方式ごとにタイムスロットのスロット連結を実施し（S31）、残りのタイムスロットは通常のスロット割当を実施する（S32）。
【００７０】
通信量が第２しきい値より小さい場合（S43のN）、通信量が第3しきい値より小さいか否かを判断する。通信量が第３しきい値より小さい値となった場合（S44のY）、以降のフレームにおいてはスロット連結割当を行わず、通常のスロット割当を実施する（S14）。
【００７１】
このような本発明の実施の形態によれば、以下の通りの作用効果を享受することができる。
【００７２】
通信品質測定部９は複数のタイムスロットごとに端末装置２との間の通信品質を測定し、変調方式判定部１０ｂはこの通信品質にもとづき、タイムスロットごとに適用できる変調方式を判定し、スロット割当部１０ｃは、適用できると判定された変調方式のうちで、多値数が最も少ない変調方式を除く変調方式を用いたタイムスロットの連結割当を実施しながら、複数のタイムスロットを端末装置に割り当てるため、フレームを構成するタイムスロットのなかに１シンボルあたりの情報量が少ない変調方式を選択せざる得ないタイムスロットが含まれている場合であっても、効率的なスロット連結を行うことで伝送効率を向上させることができる。
【００７３】
また、スロット割当部１０ｃは１シンボルあたりの情報量が最も多い変調方式から降順に上述のタイムスロットの連結割当を実行した後、連結割当の対象とならなかったタイムスロットは、そのタイムスロットに適用できると判定された変調方式により単一割当を実行するため、１シンボルあたりの情報量が多い変調方式ほどタイムスロットの連結がされやすく、伝送効率を向上させることができる。
【００７４】
また、スロット割当部１０ｃは１シンボルあたりの情報量がしきい値より小さい変調方式から降順に上述のタイムスロットの連結割当を実行した後、連結割当の対象とならなかったタイムスロットは、そのタイムスロットに適用できると判定された変調方式により単一割当を実行するため、１シンボルあたりの情報量が多い変調方式を選択することを可能にしつつ、タイムスロットの連結を実現することができ、伝送効率を向上させることができる。
【００７５】
また、スロット割当部１０ｃは１シンボルあたりの情報量が２番目に少ない変調方式から昇順に上述のタイムスロットの連結割当を実行した後、連結割当の対象とならなかったタイムスロットは、そのタイムスロットに適用できると判定された変調方式により単一割当を実行するため、１シンボルあたりの情報量が多い変調方式を選択しながら、長く連続したタイムスロットの連結を実現することができ、伝送効率を向上させることができる。
【００７６】
以上、本発明を実施するための最良の形態について説明をしてきたが、本発明は、この実施の形態の構成に限定されるものではなく、特許請求の範囲に規定された本発明の適用範囲にあり、上述した実施の形態の構成が備える機能を達成可能であれば、いろいろな変形が可能である。
【００７７】
例えば、本発明の実施の形態において通信システム１００はTDMAとSDMAが適用されるとして説明したが、これにかぎらず、通信システム１００は、少なくともTDMAが適用されていればよい。例えば、TDMAとCDMA（Code Division Multiple Access）が適用されてもよく、またTDMAとOFDMA（Orthogonal Frequency Division Multiple Access）が適用されてもよい。
【００７８】
また、本発明の実施の形態において、スロット連結割当は連結対象となる複数の連続するタイムスロットの先頭タイムスロットのみに通信制御シンボルを配置していたが、タイムスロットの境界には通信制御シンボルのうち変調方式を指定する変調パラメータMIと少なくとも１シンボルのダミーシンボルを配置してよい。本発明の変形例によれば、QPSKなど前シンボルに対する位相の回転量で変調を行う位相変調方式のうち、異なる位相変調方式を混在させてスロット連結割当しても復調を行うことが可能となり、変調方式の柔軟な選択が可能となる。
【図面の簡単な説明】
【００７９】
【図１】TDMAフレーム構成を示す概念図
【図２】タイムスロットの構成を示す概念図
【図３】本発明の実施の形態に係る通信システムの構成を示す概念図
【図４】本発明の実施の形態に係る基地局装置の構成を示す概念図
【図５】D/U比と変調方式との関係を示したテーブルのデータ構造を示す図
【図６】MSEと変調方式との関係を示したテーブルのデータ構造を示す図
【図７（ａ）】スロット割当例を示す図
【図７（ｂ）】スロット割当例を示す図
【図８（ａ）】スロット割当例を示す図
【図８（ｂ）】スロット割当例を示す図
【図９（ａ）】スロット割当例を示す図
【図９（ｂ）】スロット割当例を示す図
【図１０】スロット割当の動作例を示すフローチャート
【図１１】スロット割当の動作例を示すフローチャート
【図１２】スロット割当の動作例を示すフローチャート
【図１３】スロット割当の動作例を示すフローチャート
【符号の説明】
【００８０】
４        無線部
５        送受信部
６        変復調部L
７        IF部
８        無線量測定部
９        通信品質測定部
１０      制御部
１０ａ    無線リソース管理部
１０ｂ    変調方式判定部
１０ｃ    スロット割当部
【図１】
2008219401.tif 000003
【図２】
2008219401.tif 000004
【図３】
2008219401.tif 000005
【図４】
2008219401.tif 000006
【図５】
2008219401.tif 000007
【図６】
2008219401.tif 000008
【図７】
2008219401.tif 000009
【図８】
2008219401.tif 000010
【図９】
2008219401.tif 000011
【図１０】
2008219401.tif 000012
【図１１】
2008219401.tif 000013
【図１２】
2008219401.tif 000014
【図１３】
2008219401.tif 000015